(57)【要約】【課題】遠くからでもよく判る大きさや明るさを備えた上で、薄型化および軽量化を実現でき、さらに紙のように巻き取ることにより、極めて容易に他の場所まで持ち運び設置することを可能とする信号灯を提供する。【解決手段】車両や通行人に通行許可ないし停止指示その他の交通規制情報を視認させるための信号灯１０において、可撓性を有するシート状の灯基板１１と、該灯基板１１と一緒に巻き取り可能な状態で灯基板１１上に装着され、交通規制情報を表す各灯色にそれぞれ点灯する表示面２０を形成する発光素子２１と、を有する。【選択図】図１
2006309495.tif 000002
【特許請求の範囲】
【請求項１】
車両や通行人に通行許可ないし停止指示その他の交通規制情報を視認させるための信号灯において、
可撓性を有するシート状の灯基板と、該灯基板と一緒に巻き取り可能な状態で灯基板上に装着され、前記交通規制情報を表す各灯色にそれぞれ点灯する表示面を形成する発光素子と、を有することを特徴とする信号灯。
【請求項２】
前記灯基板は、フレキシブル基板から成り、
前記発光素子は、前記フレキシブル基板上に表面実装されるチップＬＥＤから成ることを特徴とする請求項１に記載の信号灯。
【請求項３】
前記発光素子を装着した前記灯基板の表面側に透明フィルムを積層し、
前記灯基板の裏面側に補強シートを積層したことを特徴とする請求項１または２に記載の信号灯。
【請求項４】
持ち運び可能な電源に接続可能であり、該電源から前記発光素子の発光を含む必要な電力が給電されることを特徴とする請求項１，２または３に記載の信号灯。
【発明の詳細な説明】
【技術分野】
【０００１】
本発明は、車両や通行人に通行許可ないし停止指示その他の交通規制情報を視認させるための信号灯に関する。
【背景技術】
【０００２】
従来、一般的な信号灯としては、例えば、横方向あるいは縦方向に青、黄、赤の各色のランプユニットを備え、どの色が点灯しているかを、色覚情報（各灯色）もしくは位置情報（点灯箇所）により認識させる車両用交通信号灯が知られている。このような信号灯は、遠くからでもよく判るように、大きさや明るさ等が工夫されているが、何れの構造も箱形の筐体に、各色に点灯するランプユニットを組み込んだものとなっていた（例えば、特許文献１参照。）。
【０００３】
【特許文献１】特開平１１−３２１６５２号公報
【発明の開示】
【発明が解決しようとする課題】
【０００４】
しかしながら、前述したような従来の信号灯では、何れも予め決められた据付け場所に設置して使用することが前提となっており、持ち運びの利便性に関しては全く考慮されておらず、一般的に筐体が大型で相当の重量がある信号灯を、災害時や緊急時等に簡単に他の場所に運んで設置するような使用形態は困難であった。
【０００５】
本発明は、以上のような従来技術が有する問題点に着目してなされたものであり、遠くからでもよく判る大きさや明るさを備えた上で、薄型化および軽量化を実現でき、さらに紙のように巻き取ることにより、極めて容易に他の場所まで持ち運び設置することができる信号灯を提供することを目的としている。
【課題を解決するための手段】
【０００６】
前述した目的を達成するための本発明の要旨とするところは、以下の各項の発明に存する。  
［１］車両や通行人に通行許可ないし停止指示その他の交通規制情報を視認させるための信号灯（１０）において、
可撓性を有するシート状の灯基板（１１）と、該灯基板（１１）と一緒に巻き取り可能な状態で灯基板（１１）上に装着され、前記交通規制情報を表す各灯色にそれぞれ点灯する表示面（２０）を形成する発光素子（２１）と、を有することを特徴とする信号灯（１０）。
【０００７】
［２］前記灯基板（１１）は、フレキシブル基板から成り、
前記発光素子（２１）は、前記フレキシブル基板上に表面実装されるチップＬＥＤから成ることを特徴とする［１］に記載の信号灯（１０）。
【０００８】
［３］前記発光素子（２１）を装着した前記灯基板（１１）の表面側に透明フィルム（３１）を積層し、
前記灯基板（１１）の裏面側に補強シート（３２）を積層したことを特徴とする［１］または［２］に記載の信号灯（１０）。
【０００９】
［４］持ち運び可能な電源に接続可能であり、該電源から前記発光素子（２１）の発光を含む必要な電力が給電されることを特徴とする［１］，［２］または［３］に記載の信号灯（１０）。
【００１０】
前記本発明は次のように作用する。  
前記［１］に記載の信号灯（１０）は、可撓性を有するシート状の灯基板（１１）と、該灯基板（１１）と一緒に巻き取り可能な状態で灯基板（１１）上に装着された発光素子（２１）とから成るので、遠くからでもよく判る大きさの表示面（２０）を形成しても、薄型化および軽量化を容易に実現することができると共に、紙のように丸めて巻き取ることができる。
【００１１】
それにより、信号灯（１０）をどこへでも簡単に持ち運ぶことが可能となり、例えば、自然災害等によって既存の信号灯が壊れた場合の代替手段として、本信号灯（１０）を直ぐに使用することができる。また、本信号灯（１０）は、その構造上自在に湾曲するため、例えば、曲面の据付け場所にも容易に設置することが可能となる。
【００１２】
また、前記［２］に記載の信号灯（１０）によれば、前記灯基板（１１）は、フレキシブル基板から成るので、極めて優れた柔軟性を備えることができ、全体的に小さくなるまで細く巻き取ったり、折り畳むことも可能となる。
【００１３】
そして、前記発光素子（２１）は、フレキシブル基板上に表面実装されるチップＬＥＤから成るので、発光素子（２１）自体の小型化および軽量化がいっそう図られることになり、数多のチップＬＥＤを灯基板（１１）の変形時に互いに干渉しない程度の隙間を空けて密に配置し、表示面（２０）を形成することで、高輝度かつ鮮明で視認性のよい灯色発光を行うことが可能となる。
【００１４】
また、前記［３］に記載の信号灯（１０）によれば、前記発光素子（２１）を装着した前記灯基板（１１）の表面側に透明フィルム（３１）を積層し、前記灯基板（１１）の裏面側に補強シート（３２）を積層したから、塵や埃、水分の侵入を防ぐ密閉性を保つことができると共に、相当の強度を得ることもできる。
【００１５】
さらにまた、前記［４］に記載の信号灯（１０）によれば、持ち運び可能な電源に接続可能であり、該電源から前記発光素子（２１）の発光を含む必要な電力が給電されることにより、設置場所における商用電力の有無に影響を受けることなく、どこでも簡単に直ぐ使用することができる。
【発明の効果】
【００１６】
本発明に係る信号灯によれば、可撓性を有するシート状の灯基板と、該灯基板と一緒に巻き取り可能な状態で灯基板上に装着され、交通規制情報を表す各灯色にそれぞれ点灯する表示面を形成する発光素子と、を有するから、遠くからでもよく判る大きさの表示面を形成しても、薄型化および軽量化を容易に実現することができると共に、全体的に紙のように丸めて巻き取ることができ、信号灯をどこへでも簡単に持ち運んで使用することが可能となる。
【発明を実施するための最良の形態】
【００１７】
以下、図面に基づき本発明の好適な実施の形態を説明する。  
図１〜図４は、本発明の一実施の形態を示している。  
本実施の形態に係る信号灯１０は、車両や通行人に通行許可ないし停止指示その他の交通規制情報を視認させるためのものである。以下、青色、黄色、赤色が点灯・消灯する交通信号灯として用いられる場合を例に説明する。
【００１８】
図１は、信号灯１０を平面状に広げた状態を示す正面図であり、図２は、信号灯１０の積層構造を分解して示す側面図である。また、図３は、信号灯１０を平面状に広げた状態を模式的に示す斜視図であり、図４は、信号灯１０を端から巻き取る状態を模式的に示す斜視図である。
【００１９】
各図に示すように、信号灯１０は、可撓性を有するシート状の灯基板１１と、該灯基板１１と一緒に巻き取り可能な状態で灯基板１１上に装着され、交通規制情報を表す各灯色にそれぞれ点灯する表示面２０を形成する発光素子３０と、を有して成る。
【００２０】
灯基板１１は、紙のようにくるくる巻き取ることができる構造であり、具体的にはフレキシブル基板から成る。フレキシブル基板とは、可撓性を持つプリント基板のことであり、一般には柔軟性のあるポリイミドフィルム等を電気絶縁体を素材としたシートに、銅箔の電気回路をプリントして構成されている。
【００２１】
表示面２０は、図１の正面視において左から順に、青色灯表示面２０ａ、黄色灯表示面２０ｂ、赤色灯表示面２０ｃに分かれている。各表示面２０は、何れも色相が異なるのみで同一の構成をしており、具体的には、それぞれの灯色に点灯する発光素子２１としてチップＬＥＤを用いて形成されている。
【００２２】
チップＬＥＤとは、その発光チップが略砲弾形に成形されたレンズ樹脂で被覆されていないタイプのＬＥＤであり、詳細な構成は一般的であるので説明は省略する。発光素子２１であるチップＬＥＤは、前記灯基板１１上の適所に表面実装されることで、前記各表示面２０を形成している。図１に示すように発光素子２１は、灯基板１１の変形時に互いに干渉しない程度の隙間を空けた状態で、各円形内にて密に配置されている。
【００２３】
図２に示すように、発光素子２１を装着した灯基板１１の表面側には、透明フィルム３１が積層され、灯基板１１の裏面側には、補強シート３２が積層されている。このように、発光素子２１を装着した灯基板１１は、透明フィルム３１と補強シート３２とにより貼り合わせて（接着して）ある。また、図示省略したが、灯基板１１の適所には電線や信号線等のハーネスを接続するためのコネクタが設けられており、持ち運び可能な電池等の電源に接続されると共に、各表示面２０の点灯制御を行う制御装置にも接続される。
【００２４】
次に作用を説明する。  
本実施の形態に係る信号灯１０は、可撓性を有するシート状の灯基板１１と、該灯基板１１と一緒に巻き取り可能な状態で灯基板１１上に装着された発光素子２１とから成るので、遠くからでもよく判る大きさの表示面２０を形成しても、薄型化および軽量化を容易に実現することができると共に、図４に示すように、紙のように丸めて巻き取ることができる。
【００２５】
それにより、巻き取った信号灯１０をどこへでも簡単に持ち運ぶことが可能となり、例えば、自然災害等によって既存の信号灯が壊れた場合の代替手段として、本信号灯１０を直ぐに使用することができる。また、本信号灯１０は、その構造上自在に湾曲するため、例えば、曲面の据付け場所に貼り付けるよう容易に設置することが可能となる。
【００２６】
特に本実施の形態では、灯基板１１はフレキシブル基板から成るので、極めて優れた柔軟性を備えることができ、全体的に小さくなるまで細く巻き取ったり、折り畳むことも可能となる。また、発光素子２１は、フレキシブル基板上に表面実装されるチップＬＥＤから成るので、発光素子２１自体の小型化および軽量化がいっそう図られることになる。
【００２７】
図１に示すように、数多の発光素子２１を灯基板１１の変形時に互いに干渉しない程度の隙間を空けて密に配置し、前記表示面２０を形成することで、高輝度かつ鮮明で視認性のよい灯色発光を行うことが可能となる。また、図２に示すように、発光素子２１を装着した灯基板１１の表面側に透明フィルム３１を積層し、灯基板１１の裏面側に補強シート３２を積層したから、塵や埃、水分の侵入を防ぐ密閉性を保つことができると共に、相当の強度を得ることもできる。
【００２８】
本信号灯１０を使用する際には、図３に示すように平面状に広げた状態で設置し、電池等の電源を接続すると共に、各表示面２０の点灯制御を行う制御装置にも接続する。このように、電池等の電源から発光素子２１の発光を含む必要な電力を給電することにより、設置場所における商用電力の有無に影響を受けることなく、災害時や緊急時等にどこでも簡単に直ぐ使用することができる。特に発光素子２１をチップＬＥＤとしたことにより、消費電力が従来に比べ少なくて済み、電池で点灯させることも可能となる。
【００２９】
本信号灯１０においても、各表示面２０が点灯した灯色の表示により、通常の交通信号灯と同様に、車両や通行人に通行許可ないし停止指示その他の交通規制情報を視認させて円滑かつ安全な運行を期する。すなわち、各表示面２０のうち青色表示面２０ａが点灯した場合は通行許可の指示となり、赤色表示面２０ｃが点灯した場合は通行不可の指示となる。
【００３０】
なお、本発明の実施の形態を図面によって説明してきたが、具体的な構成は前述した実施の形態に限られるものではなく、本発明の要旨を逸脱しない範囲における変更や追加があっても本発明に含まれる。例えば、前記実施の形態では、信号灯１０の灯基板１１を横長の矩形状に形成したが、形状は図示したものに限られるわけではない。また、前記実施の形態では、発光素子２１をチップＬＥＤから構成したが、他に例えば、可撓性のあるシート状の有機ＥＬ（エレクトロルミネッセンス）、あるいは液晶表示装置により構成することもできる。また、前述した交通信号灯以外にも、矢印灯器や歩行者灯器等にも適用することができる。
【図面の簡単な説明】
【００３１】
【図１】本発明の実施の形態に係る信号灯を平面状に広げた状態を示す正面図である。
【図２】本発明の実施の形態に係る信号灯の積層構造を分解して示す側面図である。
【図３】本発明の実施の形態に係る信号灯を平面状に広げた状態を模式的に示す斜視図である。
【図４】本発明の実施の形態に係る信号灯を端から巻き取る状態を模式的に示す斜視図である。
【符号の説明】
【００３２】
１０…信号灯
１１…灯基板
２０…表示面
２０ａ…青色灯表示面
２０ｂ…黄色灯表示面
２０ｃ…赤色灯表示面
２１…発光素子
３０…発光素子
３１…透明フィルム
３２…補強シート
【図１】
2006309495.tif 000003
【図２】
2006309495.tif 000004
【図３】
2006309495.tif 000005
【図４】
2006309495.tif 000006